(57)【要約】      （修正有）【課題】ケーブルテレビ同軸ビデオネットワーク伝送器を提供する。【解決手段】上蓋１、該上蓋１内部に固定される導電接続ソケット２、及び該上蓋１底部に設置される底蓋４を含み、該導電接続ソケット２底面両側に縦向きに一対の導電ピン２３、２３’を伸出し、該底蓋４内部にプリント回路板４１を設け、該プリント回路板４１の該一対の導電ピン２３、２３’に対応する位置に２つの挿入接続ソケット５、５’を設置し、各挿入接続ソケット５、５’は、弾性挟持部材５１を含み、該挟持部材５１の両側に該回路板４１に固定される一対のピンを有し、該一対のピンの上段は、各導電ピン２３、２３’を挿入接続させる一対の弧形挟持部を一体に接続し、且つ該一対の挟持部下方は、該一対のピンとの間に婁空部を隣接し、且つ該婁空部は、該一対の挟持部と各導電ピン２３、２３’の接触長さ及び接触面積を定義し、該伝送器の帯域幅及び周波数信号品質を調整する。【選択図】図２
0003202420.tif 000002
【実用新案登録請求の範囲】
【請求項１】
周縁にそれぞれ信号入力ポートと信号出力ポートを設ける上蓋と、
該上蓋内部に固定され、一対の第１開口を向かい合わせに開設し、該一対の第１開口は、それぞれ該信号入力ポート及び該信号出力ポートに隣接し、且つ底面両側に縦方向に一対の導電ピンを伸出する導電接続ソケットと、
該上蓋底部に取り付けられ、密封を形成し、内部にプリント回路板を設け、底面にプリント回路板に接合する複数の出力ポートを別途設ける底蓋と、
該２つの導電ピンの位置に対応して該回路板上に固定設置される２つの挿入接続ソケットと、
を含み、そのうち、各挿入接続ソケットは、弾性挟持部材を含み、該挟持部材の両側に該回路板上に固定接続する一対のピンを有し、該一対のピン上段は、各導電ピンを挿入接続させる一対の弧形挟持部を一体に接続し、且つ該一対の挟持部下方は、該一対のピンとの間に婁空部を隣接し、且つ該婁空部は、該一対の挟持部と各導電ピンの接触長さ及び接触面積を定義する、ケーブルテレビ同軸ビデオネットワーク伝送器。
【請求項２】
前記信号入力ポート及び該信号出力ポートの垂直方向にそれぞれ入力ロックポート及び出力ロックポートを設け、該一対の第１開口の垂直方向にそれぞれ第２開口を設け、該一対の第２開口を該入力ロックポート及び該出力ロックポートに隣接させ、更に、２つの線固定螺子をそれぞれ該入力ロックポート、該出力ロックポート及び該一対の第２開口へ通過させた後、該２つの導電ピンの本体内にロックする請求項１に記載のケーブルテレビ同軸ビデオネットワーク伝送器。
【請求項３】
前記導電接続ソケット底面に縦方向に更に弾性固定ソケットを取り付け、該弾性固定ソケットは、横方向に凹溝を開設し、該凹溝は、弓形弾性片を取り付けさせ、該弾性片両端にそれぞれ接触端を形成し、該一対の接触端を該２つの導電ピンに接続し、信号接続を形成する請求項１に記載のケーブルテレビ同軸ビデオネットワーク伝送器。
【請求項４】
前記挟持部材の該一対の挟持部上部に外向きに伸出する一対のガイド斜面を有する請求項１に記載のケーブルテレビ同軸ビデオネットワーク伝送器。
【請求項５】
前記各挿入接続ソケットの該挟持部材は、金属片がスタンピング及び湾折工程を経て二層状フレーム体に成型されてなり、そのうち、該金属片の厚さが０．２ｍｍ〜０．４ｍｍの間であり、総高さが８ｍｍ〜１０ｍｍの間であり、且つ該一対の挟持部と各導電ピンの接触長さが２．５ｍｍ〜５ｍｍの間である請求項１に記載のケーブルテレビ同軸ビデオネットワーク伝送器。
【請求項６】
前記各挿入接続ソケットが更にカバー部材を含み、該カバー部材底部に該挟持部材を入れさせ且つ緊密に接合させる収容溝を開設し、上部は、各導電ピンを挿入させ且つ該収容溝と該一対の挟持部と連通する挿入孔を開設し、且つ該カバー部材底面に該プリント回路板に挿入設置される一対の固定ピンを更に突設する請求項１に記載のケーブルテレビ同軸ビデオネットワーク伝送器。
【請求項７】
前記カバー部材は、プラスチック材料で形成され、その高さが１０ｍｍ〜１３ｍｍの間である請求項６に記載のケーブルテレビ同軸ビデオネットワーク伝送器。
【請求項８】
前記カバー部材は、金属材料で形成され、その厚さが０．２ｍｍ〜０．４ｍｍの間であり、高さが１０ｍｍ〜１３ｍｍの間である請求項６に記載のケーブルテレビ同軸ビデオネットワーク伝送器。
【請求項９】
両側に一対のピンを有し、該一対のピン上端が導電ピンを挿入接続させる一対の弧形挟持部を一体に接続し、且つ該一対の挟持部下方は、該一対のピンとの間に婁空部を隣接し、且つ該婁空部は、該一対の挟持部と各導電ピンの接触長さ及び接触面積を定義するケーブルテレビ同軸ビデオネットワーク伝送器に用いる挿入接続ソケット。
【請求項１０】
前記挟持部材の該一対の挟持部上部に外向きに伸出する一対のガイド斜面を有する請求項９に記載のケーブルテレビ同軸ビデオネットワーク伝送器に用いる挿入接続ソケット。
【請求項１１】
前記挟持部材は、金属片がスタンピング及び湾折工程を経て二層状フレーム体に成型されてなり、そのうち、該金属片の厚さが０．２ｍｍ〜０．４ｍｍの間であり、総高さが８ｍｍ〜１０ｍｍの間であり、且つ該一対の挟持部と該導電ピンの接触長さが２．５ｍｍ〜５ｍｍの間である請求項９に記載のケーブルテレビ同軸ビデオネットワーク伝送器に用いる挿入接続ソケット。
【請求項１２】
更にカバー部材を含み、該カバー部材底部に該挟持部材を入れさせ且つ緊密に接合させる収容溝を開設し、上部は、該導電ピンを挿入させ且つ該収容溝と該一対の挟持部と連通する挿入孔を開設し、且つ該カバー部材底面に一対の固定ピンを更に突設する請求項９に記載のケーブルテレビ同軸ビデオネットワーク伝送器に用いる挿入接続ソケット。
【請求項１３】
前記カバー部材は、プラスチック材料で形成され、その高さが１０ｍｍ〜１３ｍｍの間である請求項１２に記載のケーブルテレビ同軸ビデオネットワーク伝送器に用いる挿入接続ソケット。
【請求項１４】
前記カバー部材は、金属材料で形成され、その厚さが０．２ｍｍ〜０．４ｍｍの間であり、高さが１０ｍｍ〜１３ｍｍの間である請求項１２に記載のケーブルテレビ同軸ビデオネットワーク伝送器に用いる挿入接続ソケット。
【考案の詳細な説明】
【技術分野】
【０００１】
本考案は、ケーブルテレビ同軸ビデオネットワーク伝送器に関し、特に、ケーブルテレビシステムの周波数信号の品質を拡張、改善することができるケーブルテレビ同軸ビデオネットワーク伝送器に関する。
【背景技術】
【０００２】
ケーブルテレビシステムは、信号伝送線を利用して、基地局が収集した各テレビ局の信号を各視聴者に伝送し、基地局と視聴者の間は、一対多の関係であり、
且つ基地局と視聴者の間に一定の距離があり、従って、長距離の伝送過程中に発生する信号の減衰を如何に防止するか、及び信号分配及びアダプタ等の問題は、ケーブルテレビ同軸ビデオネットワーク伝送器、例えば、信号分岐器、分配器及びアダプタ等の補助が必要として、各視聴者との間の接続及び安定した信号伝送の目的を達成する。
【０００３】
本考案の出願人が有する中華民国実用新案公告第４２４９９２号に示されるように、該挿入接続ソケットとする導電スリーブ及び導電接続ソケットの導電柱の挿入接続時、両者の接触長さは、６ｍｍ〜８ｍｍである。図１に示すように、該導電柱が該導電スリーブに挿入される時、入力端及び出力端の反射損失(Return Loss)は、１００２ＭＨｚにおいて基準ラインより高くなる現象が出現し、この現象は、周波数信号に対する伝送品質に対して影響を及ぼす。
【０００４】
現在のケーブルテレビシステムが提供可能な周波数は、５ＭＨｚ〜１００２ＭＨｚであり、既存の帯域幅を向上させたい場合、ケーブルテレビ同軸ビデオネットワーク伝送器は、内部の各種アクティブ、パッシブ部材自身の特性の差異の制限を受け、達成することができなくなる。従って、ケーブルテレビシステムが提供できるサービスも帯域幅の問題により、制限を受ける。
【０００５】
現有の伝送器の帯域幅を上げることができない欠陥に基づき、現在の周波数（５ＭＨｚ〜１００２ＭＨｚ）を如何にして５ＭＨｚ〜１２１８ＭＨｚに推進し、より多くのプログラムチャネル、電話、インターネット及び衛星信号等のサービスを提供するかは、ケーブルテレビシステム業者が克服を期待する難題である。
【先行技術文献】
【特許文献】
【０００６】
【特許文献１】特表２００２−５０５０４２号公報
【考案の概要】
【考案が解決しようとする課題】
【０００７】
本考案の目的は、ケーブルテレビ同軸ビデオネットワーク伝送器を提供することであり、該伝送器は、例えば、信号分岐器(Multi-Tap)が内部の挿入接続ソケットに改良を行い、該挿入接続ソケットに導電接続ソケットの導電ピンを挿入接続させた後、該挿入接続ソケットと該導電ピンは、接触長さと接触面積の減縮により、該ケーブルテレビ同軸ビデオネットワーク伝送器の帯域幅を向上させ、ケーブルテレビシステムが伝送する周波数信号の品質を確保する。
【課題を解決するための手段】
【０００８】
前記目的を達成する為、本考案が採用する技術手段は、ケーブルテレビ同軸ビデオネットワーク伝送器を提供することであり、それは、周縁にそれぞれ信号入力ポートと信号出力ポートを設ける上蓋と、該上蓋内部に固定され、一対の第１開口を向かい合わせに開設し、該一対の第１開口は、それぞれ該信号入力ポート及び該信号出力ポートに隣接し、且つ底面両側に縦方向に一対の導電ピンを伸出する導電接続ソケットと、該上蓋底部に取り付けられ、密封を形成し、内部にプリント回路板を設け、底面にプリント回路板に接合する複数の出力ポートを別途設ける底蓋と、該２つの導電ピンの位置に対応して該回路板上に固定設置される２つの挿入接続ソケットと、を含み、そのうち、各挿入接続ソケットは、弾性挟持部材を含み、該挟持部材の両側に該回路板上に固定接続する一対のピンを有し、該一対のピン上段は、各導電ピンを挿入接続させる一対の弧形挟持部を一体に接続し、且つ該一対の挟持部下方は、該一対のピンとの間に婁空部を隣接し、且つ該婁空部は、該一対の挟持部と各導電ピンの接触長さ及び接触面積を定義する。
【０００９】
本考案のもう１つの目的は、ケーブルテレビ同軸ビデオネットワーク伝送器を提供することであり、それは、構造に対して改良を行い、該挿入接続ソケットに導電接続ソケットの導電ピンを挿入接続させた後、該挿入接続ソケット及び該導電ピンは、接触長さと接触面積の減縮により、該ケーブルテレビ同軸ビデオネットワーク伝送器の帯域幅を向上させ、ケーブルテレビシステムが伝送する周波数信号の品質を確保する。
【００１０】
前記目的を達成する為、本考案が採用する技術手段は、ケーブルテレビ同軸ビデオネットワーク伝送器に用いる挿入接続ソケットを提供することであり、それは、両側に一対のピンを有し、該一対のピン上端が導電ピンを挿入接続させる一対の弧形挟持部を一体に接続し、且つ該一対の挟持部下方は、該一対のピンとの間に婁空部を隣接し、且つ該婁空部は、該一対の挟持部と各導電ピンの接触長さ及び接触面積を定義する。
【考案の効果】
【００１１】
本考案の実施によって得られる増益の効果は、該挿入接続ソケットは、ケーブルテレビシステムの高周波（９００ＭＨｚ〜１２１８ＭＨｚ）における周波数信号品質を拡張及び改善することができ、ケーブルテレビシステムに現在の周波数５ＭＨｚ〜１００２ＭＨｚを５ＭＨｚ〜１２１８ＭＨｚへ推進させることができ、
より多くのプログラムチャネル、電話、インターネット及び衛星信号等のサービスを提供することができる。特に、該挿入接続ソケットは、導電挿入接続ソケットの挿入時に最適な接触長さ及び接触面積を確保することができ、且つ回路板上の電子部材に対して電子特性上の変化を発生させる影響がなく、また、十分な接触面積を提供することができ、伝送器に高い電流（１０〜１２アンペア）及び雷撃の通過を受けることができ、損壊せず、ケーブルテレビシステムの周波数信号の品質を確保し、同類の物品が未聞の良好な構造ということができる。
【図面の簡単な説明】
【００１２】
【図１】従来のケーブルテレビ同軸ビデオネットワーク伝送器の入力端及び出力端における反射損失の説明図である。
【図２】本考案のケーブルテレビ同軸ビデオネットワーク伝送器の立体分解図である。
【図３】本考案の挿入接続ソケットの立体分解図である。
【図４】本考案のケーブルテレビ同軸ビデオネットワーク伝送器及び信号伝送コネクタの組み立て後の立体図である。
【図５】図４は、線Ａ−Ａに沿って切り取った断面図である。
【図６】本考案の導電ピンが挿入接続ソケットに挿入された断面図である。
【図７】本考案の有線テレビ同軸ビデオネットワーク伝送器の入力端及び出力端の反射損失の説明図である。
【考案を実施するための形態】
【００１３】
図２〜図６に示すように、基本的に、該ケーブルテレビ同軸ビデオネットワーク伝送器、例えば、信号分岐器(Multi-Tap)は、上蓋１、導電接続ソケット２、弾性固定ソケット３、底蓋４及び２つの挿入接続ソケット５を含む。
【００１４】
該上蓋１は、アルミ合金蓋体であり、その周縁、例えば、向かい合う両側にそれぞれ信号入力ポート１１（図１及び図５に示す）及び信号出力ポート１２を設け、且つ該信号入力ポート１１及び該信号出力ポート１２の垂直方向にそれぞれ入力ロックポート１３及び出力ロックポート１４を設ける。実質上、該入力ロックポート１３及び該出力ロックポート１４は、信号入力ポート及び信号出力ポートとすることもでき、該信号入力ポート１１及び該信号出力ポート１２は、対応して入力ロックポート及出力ロックポートとなる。
【００１５】
該導電接続ソケット２は、該笛上蓋１内部のベース上に固定され、ケーブルテレビシステム業者の基地局より伝送される信号を受信する。該導電接続ソケット２の両側は、一対の第１開口２１を向かい合わせに開設し、該一対の第１開口２１は、該一対の第１開口２１は、該一対の向かい合わせの設置を呈する該信号入力ポート１１及び該信号出力ポート１２に隣接する。そのうち、該一対の第１開口２１は、垂直方向へ第２開口２２をそれぞれ設け、該一対の第２開口２２を隣り合って設置される入力ロックポート１３及び該出力ロックポート１４に隣接させる。そのうち、該導電接続ソケット２底面両側は、縦方向に信号を伝送可能な一対の導電ピン２３，２３’を凸伸する。
【００１６】
従って、該伝送器が接続を行う時、基地局からの信号入力プラグ６及びもう１つの伝送器に接続する信号出力プラグ７をそれぞれ該上蓋１両側の該信号入力ポート１１及び該信号出力ポート１２へロックし、該信号入力プラグ６の信号入力導体６１と該信号出力プラグ７の信号出力導体７１にそれぞれ該導電接続ソケット２両側の各第１開口２１を通過させ、それぞれ該２つの導電ピン２３，２３’の本体内へ挿入し、２つの線固定螺子２４をそれぞれ該上蓋１の入力ロックポート１３、該出力ロックポート１４及び該一対の第２開口２２に通過させた後、該２つの導電ピン２３，２３’の本体内にロックし、該信号入力導体６１及び該信号出力導体７１をそれぞれ該２つの導電ピン２３，２３’と１つに固定する。
【００１７】
また、該導電接続ソケット２底面は、縦方向に更に弾性固定ソケット３を取り付け、該弾性固定ソケット３は、横方向に凹溝３１を開設し、弓形弾性片３２を取り付け、該弾性片３２の両端にそれぞれ接触端３２１を形成し、該一対の接触端３２１を該導電接続ソケット２の該２つの導電ピン２３，２３’に接続し、信号接続を形成する。
【００１８】
従って、該伝送器が故障の修理を行う時、該弾性片２１両端の接触端３２１がそれぞれ該導電接続ソケット２の該２つの導電ピン２３，２３’に接続することにより、信号中段の状況を発生せず、各視聴者に依然として基地局が伝送する信号を受信させることができる。
【００１９】
該底蓋４は、アルミ合金蓋体であることもでき、それは、該上蓋１底部に取り付けられ、例えば、螺合され、密封式殻体を形成する。該底蓋４内部にプリント回路板４１を設け、該プリント回路板４１は、該２つの導電ピン２３，２３’の位置に対応して２つの挿入接続ソケット５，５’を相対固定設置し、且つ該２つの挿入接続ソケット５，５’は、該２つの導電ピン２３，２３’を挿入させ、信号接続を形成させる。更に、該底蓋４の底面に該プリント回路板４１に接合する複数の出力プラグ４２を設け、信号を視聴者へ伝送する。
【００２０】
図２、図３、図５及び図６を参照し、該２つの挿入接続ソケット５，５’の構造は、完全に同じであるので、説明に便利であるため、左辺を信号入力とした挿入接続ソケット５のみに説明を行い、該挿入接続ソケット５は、弾性挟持部材５１を含み、該挟持部材５１両側は、一対のピン５１１を有し、該一対のピン５１１は、該プリント回路板４１が予め設ける接続孔４１１に挿入され、溶接固定される。該一対のピン５１１上段に対称且つ各導電ピン２３を挿入接続させる一対の弧形挟持部５１２を一体に接続し、該一対の挟持部５１２上部に外向きに伸出する一対のガイド斜面５１３を有し、且つ阿木一対の挟持部５１２下方及び該一対のピン５１１の間に婁空部５１４を隣接し、従って、該婁空部５１４の寸法設計によって該一対の挟持部５１２と各導電ピン２３の接触長さ及び接触面積を定義し、該伝送器の幅及び周波数信号の品質を調整することができる。
【００２１】
事実上、該挟持部材５１は、金属片がスタンピング及び湾曲工程を経て二層状フレーム体に成型され、そのうち、該金属片の厚さは、０．２ｍｍ〜０．４の間であり、総高さが８ｍｍ〜１０ｍｍの間であり、特に、該一対の挟持部５１２と導電ピン２３の接触長さは、２．５ｍｍ〜５ｍｍの間であり、以下の特性を確保する：
（１）該挿入接続ソケット５，５’の挟持部材５１は、該導電ピン２３，２３’の引っ張り力を受けることができ、緩み、脱落することがない。
（２）ケーブルテレビシステムの周波数信号の伝送時、該挿入接続ソケット５，５’と該導電ピン２３，２３’の接触不良又は緩みにより、周波数信号の品質不良又は中断等の現象を発生することがない。
（３）ケーブルテレビシステムの周波数信号は、帯域幅５ＭＨｚ〜１２１８ＭＨｚで良好な信号品質を確保することができる。
【００２２】
好ましくは、該挿入ソケット５は、更にカバー部材５２を含み、その底部に該挟持部材５１を入れさせ且つ緊密に接合させることができる収容溝５２１を開設し、上部に該導電ピン２３，２３’を挿入させ且つ該収容溝５２１と該一対のガイド斜面５１３（又は該一対の挟持部５１２）と連通する挿入孔５２２を開設する。該カバー部材５２底面に更に、該プリント回路板４１に予め設ける板孔４１２に挿入設置する一対の固定ピン５２３を突設し、該カバー部材５２が金属材質である場合、溶接方式により該固定ピン５２３をプリント回路板４１上に固定設置する。該カバー部材５２がプラスチック材質である場合、該固定ピン５２３は、従来の弾性フック又は熱溶融方式を採用し、該プリント回路板４１の一対の板孔４１２愛に固定接続することができる。
【００２３】
前記のように、該カバー部材５２は、金属材料又はプラスチック材料で形成されることができ、金属材料で形成される場合、その厚さは、０．２ｍｍ〜０．４ｍｍの間であり、プラスチック材料で形成される場合、厚さ上の制限はなく、但し、該カバー部材５２が金属材料で形成されるか、プラスチック材料で形成されるかに関わらず、その高さは、１０ｍｍ〜１３ｍｍの間である必要がある。
【００２４】
図４及び図５に示すように、本考案の伝送器の組み立て後、ケーブルテレビシステムの基地局により提供される周波数信号は、該信号入力プラグ６及びその信号入力導体６１によって該信号入力ポート１１から該伝送器に進入し、その後、該導電接続ソケット２の導電ピン２３及び該挿入接続ソケット５の挟持部材５１を介して該プリント回路板４１に伝送される。該プリント回路板４１が周波数信号を受信した後、２つの部分に分け、その一方は、周波数信号を、出力プラグ４２を介して視聴者に直接伝送して使用させる。もう一方は、必要に応じて周波数信号をもう１つの挿入接続ソケット５’の挟持部材５１から該導電接続ソケット２のもう１つの導電ピン２３’に伝送し、その後、該信号出力プラグ７及びその信号出力導体７１を介して信号を次の伝送器に伝送する。
【００２５】
図７に示すように、該伝送器の実施時、その入力端及び出力端の反射損失(Return Loss)は、周波数５ＭＨｚ〜１２１８ＭＨｚの間で基準ライン以下に制御することができる。従って、図１及び図７中の入力端及び出力端の反射損失の線形の差異から、挟持部材５１と導電ピン２３，２３’の接触長さ及び接触面積の差異の帯域幅及び周波数信号品質に対する影響を明確に見出すことができる。
【００２６】
従って、本考案の実施によって得られる増益の効果は、該挿入接続ソケットは、ケーブルテレビシステムの高周波（９００ＭＨｚ〜１２１８ＭＨｚ）における周波数信号品質を拡張及び改善することができ、ケーブルテレビシステムに現在の周波数５ＭＨｚ〜１００２ＭＨｚを５ＭＨｚ〜１２１８ＭＨｚへ推進させることができ、より多くのプログラムチャネル、電話、インターネット及び衛星信号等のサービスを提供することができる。特に、該挿入接続ソケットは、導電挿入接続ソケットの挿入時に最適な接触長さ及び接触面積を確保することができ、且つ回路板上の電子部材に対して電子特性上の変化を発生させる影響がなく、また、十分な接触面積を提供することができ、伝送器に高い電流（１０〜１２アンペア）及び雷撃の通過を受けることができ、損壊せず、ケーブルテレビシステムの周波数信号の品質を確保し、同類の物品が未聞の良好な構造ということができる。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２８】
１  上蓋
１１  信号入力ポート
１２  信号出力ポート
１３  入力ロックポート
１４  出力ロックポート
２  導電接続ソケット
２１  第１開口
２２  第２開口
２３，２３’  導電ピン
２４  線固定螺子
３  弾性固定ソケット
３１  凹溝
３２  弾性片
３２１  接触端
４  底蓋
４１  プリント回路板
４１１  接続孔
４１２  板孔
４２  出力プラグ
５，５’  挿入接続ソケット
５１  挟持部材
５１１  接続ピン
５１２  挟持部
５１３  ガイド斜面
５１４  婁空部
５２  カバー部材
５２１  収容溝
５２２  挿入孔
５２３  固定ピン
６  信号入力プラグ
６１  信号入力導体
７  信号出力プラグ
７１  信号出力導体
【図１】
0003202420.tif 000003
【図２】
0003202420.tif 000004
【図３】
0003202420.tif 000005
【図４】
0003202420.tif 000006
【図５】
0003202420.tif 000007
【図６】
0003202420.tif 000008
【図７】
0003202420.tif 000009
【手続補正書】
【提出日】平成27年12月1日(2015.12.1)
【手続補正１】
【補正対象書類名】明細書
【補正対象項目名】００１８
【補正方法】変更
【補正の内容】
【００１８】
従って、該伝送器が故障の修理を行う時、該弾性片３２両端の接触端３２１がそれぞれ該導電接続ソケット２の該２つの導電ピン２３，２３’に接続することにより、信号中段の状況を発生せず、各視聴者に依然として基地局が伝送する信号を受信させることができる。